(57)【要約】【課題】全てのＲＦＩＤタグに対する固有情報などの読込みや書込みを一括して行え、しかも、各アンテナ間の相互干渉や不要輻射ノイズに伴う通信性能の低下を解消できるＲＦＩＤタグ用のリーダライタを提供する。【解決手段】一群のマイクロチューブ１１に組込まれたＲＦＩＤタグ１６を通信対象とするリーダライタである。読書き部８を備えた本体ケース１と、本体ケース１の内部に配置される一群のアンテナ２１を備えたアンテナ基板２と、一群の制御回路が実装された複数個の制御基板３と、アンテナ基板２と制御基板３との間に設けられる中継基板４とを含む。中継基板４には、アンテナ２１の共振周波数を調整するための周波数調整回路２８が設けてある。アンテナ基板２と中継基板４とはピンヘッダ２２を介して直結する。中継基板４と制御基板３とはコネクター３０を介して着脱可能な状態で直結する。【選択図】図１
2013109689.tif 000002
【特許請求の範囲】
【請求項１】
一群の担持体（１１）に組込まれたＲＦＩＤタグ（１６）を通信対象とするリーダライタであって、
リーダライタは、一群の担持体（１１）を載置するための読書き部（８）を備えた本体ケース（１）と、読書き部（８）に臨んで本体ケース（１）の内部に配置されるアンテナ基板（２）と、複数個の制御基板（３）と、アンテナ基板（２）と制御基板（３）との間に設けられる中継基板（４）とを含み、
アンテナ基板（２）にはＲＦＩＤタグ（１６）と同数のアンテナ（２１）が設けられ、制御基板（３）にはＲＦＩＤタグ（１６）と同数の制御回路が設けられており、
中継基板（４）には、アンテナ（２１）の共振周波数を調整するための周波数調整回路（２８）が設けられており、
アンテナ基板（２）と中継基板（４）とは、両基板（２・４）に半田付けしたピンヘッダ（２２）を介して直結されており、
中継基板（４）と制御基板（３）とが、コネクター（３０）を介して着脱可能な状態で直結してあることを特徴とするＲＦＩＤタグ用のリーダライタ。
【請求項２】
アンテナ基板（２）に、アンテナ（２１）と、アンテナ（２１）の共振周波数を粗調整する第１コンデンサ（２３）とが設けられており、
中継基板（４）に、アンテナ（２１）の共振周波数およびインピーダンスを微調整する第２コンデンサ（２５）およびコイル（２６）と、抵抗（２７）を含む周波数調整回路（２８）が設けられており、
アンテナ基板（２）と中継基板（４）をピンヘッダ（２２）で接続した状態において、アンテナ（２１）の特性に適合する第２コンデンサ（２５）を中継基板（４）に実装して周波数調整が行なわれている請求項１に記載のＲＦＩＤタグ用のリーダライタ。
【請求項３】
通信周波数が異なる複数種のＲＦＩＤタグ（１６）と通信を行なうための周波数切換回路が制御基板（３）に実装されており、
通信周波数が異なる複数のＲＦＩＤタグ（１６）に対応した周波数調整回路（２８）を中継基板（４）に組込んで、各ＲＦＩＤタグ（１６）ごとに専用の中継基板（４）が設けられており、
通信周波数が異なる複数種のＲＦＩＤタグ（１６）に適合する中継基板（４）をアンテナ基板（２）に接続して、通信周波数が異なる複数種のＲＦＩＤタグ（１６）と通信を行なうリーダライタにおいて、アンテナ基板（２）および制御基板（４）を共用できる請求項２に記載のＲＦＩＤタグ用のリーダライタ。
【請求項４】
アンテナ基板（２）が、本体ケース（１）の内部に設けたフレーム（３６）に固定されており、
制御基板（３）が前記フレーム（３６）に固定した基板ホルダー（３２）で支持してある請求項１から３のいずれかひとつに記載のＲＦＩＤタグ用のリーダライタ。
【発明の詳細な説明】
【技術分野】
【０００１】
本発明は、例えば多数個のマイクロチューブに組込まれたＲＦＩＤタグに対して、一括して試料の固有情報や関連情報などの読込みや書込みを行うことができるリーダライタに関する。
【背景技術】
【０００２】
この種のリーダライタは、例えば特許文献１に公知である。そこでは、筐体の内部に収容されるアンテナヘッドと、アンテナヘッドをラック載置板に沿って移動操作する駆動装置と、アンテナヘッド用の制御ボードと、コンピュータなどでリーダライタを構成している。アンテナヘッドには、チューブラックの装填穴列方向のチューブ数に対応するアンテナコイルが配置してあり、マイクロチューブの底部に設けたＲＦＩＤタグに対して、試料の固有情報や関連情報などの読込みや書込みを、各装填穴列ごとに一括して行うことができる。例えば、チューブラックに８本のマイクロチューブを装填できる装填穴列が１０列設けてある場合には、アンテナヘッドを駆動装置で一側端の装填穴列から他側端の装填穴列へ向かって断続的に移動操作することにより、８０個の全てのＲＦＩＤタグに対して固有情報などの読込みや書込みを行うことができる。
【０００３】
本発明に関して、アンテナ基板を制御基板と向かい合わせに配置し、アンテナ基板のアンテナパターン形成面を、制御基板の部品実装面に対して反対側に位置させたアンテナ取付構造が特許文献２に開示されている。このアンテナ取付構造によれば、制御基板に実装された部品から発せられる電気的なノイズを、アンテナ基板の基板本体（誘電体）で遮蔽して、電気的なノイズに伴う悪影響がアンテナに及ぶのを低減できる。
【０００４】
また、特許文献３には、放射素子（アンテナ）と回路基板を、放射素子に固定したピンと回路基板に設けたコネクタを介して、電気的に接続することが開示してある。
【先行技術文献】
【特許文献】
【０００５】
【特許文献１】特開２００５−３５１６４１号公報（段落番号００１７、図１）
【特許文献２】特開２００５−２６８８９９号公報（段落番号００１７、図３）
【特許文献３】特開平１０−１１７１０８号公報（段落番号０００６、図１７）
【発明の概要】
【発明が解決しようとする課題】
【０００６】
特許文献１のリーダライタによれば、マイクロチューブに収容した試料の固有情報等の読込みや書込みを、ＲＦＩＤタグに対して装填穴列ごとに一括して行うことができる。しかし、全てのＲＦＩＤタグに対して固有情報などの読込みや書込みを行うには、アンテナヘッドを駆動装置で装填穴列ごとに断続的に移動操作する必要があり、一連の作業に多くの時間が掛かるのを避けられない。
【０００７】
アンテナヘッドに、チューブラックに装填されたマイクロチューブと同じ個数のアンテナを配置すると、全てのＲＦＩＤタグに対する固有情報などの読込みや書込みを一括して行える。しかし、その場合には、個々のアンテナに対応して同数の制御回路を設ける必要があるため、制御基板が大形化し複雑になるのを避けられず、チューブラックの下方の限られた空間に制御基板を収めるのが難しくなる。例えば、制御基板を複数に分割すると、チューブラックの下方の限られた空間に制御基板を収めることができる。しかし、アンテナと、アンテナ用の制御回路を接続する接続リード線から出る不要輻射ノイズや、各アンテナ間の相互干渉によって、リーダライタの通信性能が著しく損なわれる。
【０００８】
先のような不要輻射ノイズを避けるには、アンテナ基板と制御基板の基板どうしを直接接続して、両基板を短距離で接続するとよい。例えば、アンテナ基板と制御基板とを半田付けしたピンヘッダで接続すると、両基板の接続距離を最小限化できる。ところが、両基板が半田付けによって一体化されてしまうので、制御基板を交換する場合にはアンテナ基板ごと交換しなければならず、アンテナ基板が無駄になる。
【０００９】
その点、特許文献３の接続構造のように、放射素子と制御基板をピン（ピンヘッダ）とコネクタで接続すると、制御基板を交換し、あるいは制御基板の保守を行う場合等に、放射素子を制御基板から分離することができる。しかし、接続すべきピン数が多くなるのに伴い、ピンの隣接ピッチとコネクタの隣接ピッチが部分的に一致していないことがある。そのため、保守のために放射素子を抜差しするような場合に、隣接ピッチが一致していないピンの接合部分に力が集中して、ピンを固定している半田部分にクラックを生じるおそれがあり、長期使用時の信頼性に問題がある。
【００１０】
本発明の目的は、全てのＲＦＩＤタグに対する固有情報などの読込みや書込みを一括して行え、しかも、各アンテナ間の相互干渉や不要輻射ノイズに伴う通信性能の低下を解消して、ＲＦＩＤタグに対する通信を安定した状態で行なえるＲＦＩＤタグ用のリーダライタを提供することにある。
本発明の目的は、保守作業に際してアンテナ基板が制御基板に対して繰返し着脱されるような場合でも、両者を常に的確に接続でき、従って、長期使用時の信頼性を向上できるＲＦＩＤタグ用のリーダライタを提供することにある。
【課題を解決するための手段】
【００１１】
本発明に係るＲＦＩＤタグ用のリーダライタは、一群の担持体１１に組込まれたＲＦＩＤタグ１６を通信対象とする。リーダライタは、一群の担持体１１を載置するための読書き部８を備えた本体ケース１と、読書き部８に臨んで本体ケース１の内部に配置されるアンテナ基板２と、複数個の制御基板３と、アンテナ基板２と制御基板３との間に設けられる中継基板４とを含む。アンテナ基板２にはＲＦＩＤタグ１６と同数のアンテナ２１が設けられ、制御基板３にはＲＦＩＤタグ１６と同数の制御回路が設けられている。中継基板４には、アンテナ２１の共振周波数を調整するための周波数調整回路２８が設けてある。図１に示すように、アンテナ基板２と中継基板４とは、両基板２・４に半田付けしたピンヘッダ２２を介して直結する。中継基板４と制御基板３とは、コネクター３０を介して着脱可能な状態で直結する。
【００１２】
図６に示すように、アンテナ基板２に、アンテナ２１と、アンテナ２１の共振周波数を粗調整する第１コンデンサ２３を設ける。中継基板４に、アンテナ２１の共振周波数およびインピーダンスを微調整する第２コンデンサ２５およびコイル２６と、抵抗２７を含む周波数調整回路２８を設ける。アンテナ基板２と中継基板４をピンヘッダ２２で接続した状態において、アンテナ２１の特性に適合する第２コンデンサ２５を中継基板４に実装して周波数調整を行なう。
【００１３】
通信周波数が異なる複数種のＲＦＩＤタグ１６と通信を行なうための周波数切換回路を制御基板３に実装する。通信周波数が異なる複数のＲＦＩＤタグ１６に対応した周波数調整回路２８を中継基板４に組込んで、各ＲＦＩＤタグ１６ごとに専用の中継基板４を設ける。通信周波数が異なる複数種のＲＦＩＤタグ１６に適合する中継基板４をアンテナ基板２に接続して、通信周波数が異なる複数種のＲＦＩＤタグ１６と通信を行なうリーダライタにおいて、アンテナ基板２および制御基板４を共用する。
【００１４】
アンテナ基板２は本体ケース１の内部に設けたフレーム３６に固定する。制御基板３はフレーム３６に固定した基板ホルダー３２で支持する（図４参照）。
【発明の効果】
【００１５】
本発明においては、ＲＦＩＤタグ１６と同数のアンテナ２１を備えたアンテナ基板２と、ＲＦＩＤタグ１６と同数の制御回路を備えた制御基板３と、これら両基板２・３の間に設けられる中継基板４などでリーダライタを構成した。このように、ＲＦＩＤタグ１６と同数のアンテナ２１および制御回路を備えたリーダライタによれば、全てのＲＦＩＤタグ１６に対する固有情報などの読込みや書込みを一括して迅速に行うことができる。
【００１６】
アンテナ基板２と中継基板４をピンヘッダ２２で直結し、さらに中継基板４と制御基板３をコネクター３０で直結するので、アンテナと制御回路を接続リード線で接続する場合に避けられない不要輻射ノイズの発生を抑止し、同時にアンテナ間の相互干渉を抑止してアンテナ２１の利得を最大化できる。さらに、中継基板４に、アンテナ２１の共振周波数を調整するための周波数調整回路２８を設けるので、周波数調整回路２８を調整することにより、アンテナ２１の特性をＲＦＩＤタグ１６に適合した状態に調整して、リーダライタとＲＦＩＤタグ１６との通信を確実に行える。
【００１７】
アンテナ基板２に粗調整用の第１コンデンサ２３を設け、中継基板４に微調整用の第２コンデンサ２５およびコイル２６などの周波数調整回路２８を設けると、さらに正確にアンテナ２１の通信特性をＲＦＩＤタグ１６に適合した状態に調整することができる。また、アンテナ基板２と中継基板４をピンヘッダ２２で接続した後に、アンテナ２１の特性に適合する第２コンデンサ２５を中継基板４に実装するので、アンテナ２１の特性の微細なばらつきに対応して通信周波数を精密に調整できる。
【００１８】
制御基板３に周波数切換回路を設け、通信周波数が異なる複数のＲＦＩＤタグ１６ごとに専用の中継基板４を設けると、通信周波数が異なる複数種のＲＦＩＤタグ１６に適合する中継基板４をアンテナ基板２に接続し、周波数切換回路を切換えることにより、通信周波数が異なる複数種のＲＦＩＤタグ１６と通信を行なうリーダライタにおいて、アンテナ基板２および制御基板４を共用することができる。従って、通信周波数が異なるＲＦＩＤタグ１６に対応して、専用のリーダライタを用意する場合に比べて、リーダライタの全体コストを削減できる。
【００１９】
アンテナ基板２をフレーム３６に固定し、さらに制御基板３をフレーム３６に固定した基板ホルダー３２で支持すると、アンテナ基板２、制御基板３、中継基板４の全体重量をフレーム３６で支えることができる。そのため、制御基板３と中継基板４を接続するコネクター３０に各基板２・３・４の重量が作用するのを防止して、アンテナ基板２と制御基板３の適正な接続状態を維持でき、例えば、外部から振動を受けるような場合でも、コネクター３０が動いて接続不良に陥るのを防止できる。
【図面の簡単な説明】
【００２０】
【図１】本発明に係るリーダライタの縦断側面図である。
【図２】本発明に係るリーダライタの正面図である。
【図３】本発明に係るリーダライタおよびチューブラックの平面図である。
【図４】本発明に係るリーダライタの縦断正面図である。
【図５】本発明に係るアンテナ基板の平面図である。
【図６】本発明に係るアンテナ基板と中継基板の配線構造を示す配線図である。
【発明を実施するための形態】
【００２１】
（実施例）  図１ないし図６は本発明に係るリーダライタの実施例を示す。なお、本発明における前後、左右、上下とは、図２および図３に示す交差矢印と、各矢印の近傍に表記した前後、左右、上下の表示に従う。
【００２２】
図２において、リーダライタは、本体ケース１の内部に配置される１個のアンテナ基板２と、６個の制御基板３と、両基板２・３の間に設けられる６個の中継基板４と、ＵＳＢハブ５および電源部６と、ＵＳＢハブ５を介して制御基板３に接続されるコンピュータ７などで構成してある。本体ケース１の上面には、チューブラック１０を載置するための読書き部８が凹み形成してある。チューブラック１０には、マイクロチューブ（担持体）１１を装填するための装填穴１２が縦横それぞれに直線列を構成する状態で形成してある。図３および図４に示すように、この実施例では、前後方向の装填穴列に６個の装填穴１２を形成し、左右方向へ８個の装填穴列を形成して、合計４８個のマイクロチューブ１１をチューブラック１０に装填できるようにした。読書き部８およびチューブラック１０の隅部のひとつには、チューブラック１０の装填方向を一定にするための切欠８ａ・１０ａが形成してある。
【００２３】
マイクロチューブ１１は、ポリプロピレン製の筒状のチューブ本体１３と、チューブ本体１３の上開口にねじ込まれたキャップ１４とからなる。チューブ本体１３の上部にはフランジ１５が張出してあり、このフランジ１５を装填穴１２の上開口縁で受止めることにより、マイクロチューブ１１を一定の姿勢で支持できる（図４参照）。チューブ本体１３の底壁には、チューブ本体１３に収容した試料の固有情報や関連情報などのデータを記録するためのＲＦＩＤタグ１６が埋設してある。ＲＦＩＤタグ１６とリーダライタとは、先のアンテナ基板２を介して１３．５６ＭＨｚの通信周波数で通信を行なう。ＲＦＩＤタグ１６が埋設されたチューブ本体１３の底壁は、読書き部８の面壁と数ｍｍの隙間を介して対向している。
【００２４】
図５に示すようにアンテナ基板２は、プラスチック製の基板２０の上面に渦巻状のアンテナ２１のパターンを、ＲＦＩＤタグ１６の配置パターンに対応して同数個形成して構成してある。また、基板２０の下面側には、各アンテナ２１と同数個の平面実装型の２極のピンヘッダ２２の実装面が半田付けしてある。アンテナ２１の渦巻きパターンは、基板２０に積層した銅箔にエッチング処理を施して形成する。図６に示すように、各アンテナ２１とピンヘッダ２２との間には、アンテナ２１の共振周波数を粗調整する第１コンデンサ２３が配置してある。
【００２５】
中継基板４には、アンテナ２１の共振周波数およびインピーダンスを微調整する第２コンデンサ２５およびコイル２６と、抵抗２７を含む周波数調整回路２８が実装してある。また、図１に示すように中継基板４には、ピンヘッダ２２の接続ピン２２ａを半田付けするためのスルーホール２９が形成され、さらに、中継基板４の下面側に装填穴列と同数個（８個）のピンを備えたコネクターピン３０ａが半田付けしてある。スルーホール２９とコネクターピン３０ａとはパターン配線で接続してある。
【００２６】
アンテナ基板２に固定した８個のピンヘッダ２２の接続ピン２２ａを、先のスルーホール２９に差込んだ状態で半田付けすることにより、アンテナ基板２と中継基板４とを直結接続している。この状態で、各アンテナ２１の特性に適合する静電容量の第２コンデンサ２５が選定され、選定された第２コンデンサ２５を中継基板４に半田付けすることにより、アンテナ２１の共振周波数およびインピーダンスを最適化できる。また、８個のピンヘッダ２２を介してアンテナ基板２と中継基板４を接続するので、接続ピン２２ａおよび半田部分に作用する外力を分散させて、接続部分の強度を高めて耐久性を向上できる。
【００２７】
４８個のＲＦＩＤタグ１６に対して一括してデータの読込みや書込みを行うために、６個の制御基板３にはそれぞれ８個の制御回路が実装してある。一体化されたアンテナ基板２と中継基板４を、各制御基板３に対して着脱可能な状態で直結接続するために、中継基板４と制御基板３は市販のコネクター３０を介して接続する。コネクター３０は、先に説明した中継基板４側のコネクターピン３０ａと、制御基板３の側に固定されるコネクターソケット３０ｂとからなる。図１に示すように、コネクターソケット３０ｂは、その上面が制御基板３の上縁から上方へはみ出る状態で各制御基板３の前面側に固定してあり、コネクターピン３０ａをコネクターソケット３０ｂに差込むことにより、制御基板３と中継基板４を接続できる。コネクターピン３０ａおよびコネクターソケット３０ｂには、それぞれ一対の接続端子が対応する位置に設けてある。
【００２８】
図１および図４に示すように、６個の制御基板３は左右一対の基板ホルダー３２で垂直に支持されて、読書き部８の下方空間に臨ませてある。基板ホルダー３２は逆Ｌ字状の支持アーム３３と、支持アーム３３の下端に固定されて、各制御基板３を垂直姿勢で支持する前後に長い支持枠３４とからなる。左右の支持枠３４には、制御基板３の下隅を受止める溝３５が等間隔おきに６個ずつ形成してある。基板ホルダー３２を支持するために、本体ケース１の内部にフレーム３６が設けてあり、支持アーム３３は、その上部に固定したブラケット３７を介してフレーム３６に固定してある。なお、図示していないが、アンテナ基板２の前縁の左右、および後縁の左右は、それぞれフレーム３６に固定してある。
【００２９】
以上のように構成したリーダライタによれば、４８個のマイクロチューブ１１が装填されたチューブラック１０を読書き部８に載置した状態で、アンテナ基板２とＲＦＩＤタグ１６との間で通信を行なうことにより、全てのＲＦＩＤタグ１６に対する固有情報などの読込みや書込みを一括して迅速に行うことができる。また、必要に応じて、任意のＲＦＩＤタグ１６に対して情報を追記し、あるいは情報を書き換えることができる。アンテナ基板２と中継基板４をピンヘッダ２２で直結し、さらに中継基板４を制御基板３に対してコネクター３０で直結するので、不要輻射ノイズの発生を効果的に抑止できる。さらに、アンテナ２１間の相互干渉を低減して、両者１６・２１の間の通信を常に安定した状態で的確に行なうことができる。因みに、アンテナ間の相互干渉は、アンテナの隣接距離が小さいほど、あるいは近接しているアンテナの線長が長いほど生じやすいが、上記のようにアンテナ基板２と中継基板４、さらに中継基板４と制御基板３を直結することにより、アンテナ間の相互干渉を低減できる。
【００３０】
本発明者は、基板同士を直結した上記構造の直結型のリーダライタと、アンテナ基板と制御基板をリード線で接続したリーダライタとを使用して、不要輻射ノイズを測定し、その発生の度合を確認した。測定条件は、ＦＣＣ  ｐａｒｔ１５  ３ｍ法で行った。その結果、直結型のリーダライタの不要輻射ノイズを、リード線接続型のリーダライタの不要輻射ノイズよりも２０〜３０ｄｂ減少できた。また、隣接配置した２個のアンテナ２１で同時に通信を行なってアンテナ２１間の相互干渉の状況を確認した。その結果、直結型のリーダライタの読取り範囲が、リード線接続型のリーダライタの読取り範囲の２倍に拡大され、アンテナ２１間の相互干渉を低減できることを確認した。
【００３１】
各制御基板３には８個の制御回路が実装してあるため、制御回路のひとつが故障したような場合には、故障の状況に応じて制御基板３ごと交換し、あるいは該当する制御回路の電子部品を交換する必要がある。こうした保守作業を行う場合には、アンテナ基板２と中継基板４と制御基板３を本体ケース１から取出したのち、コネクター３０を分離するだけで、制御基板３を一体化されたアンテナ基板２と中継基板４から取外すことができる。従って、保守作業をより少ない手間で簡便に行うことができる。また、制御基板３を交換する場合でも、アンテナ基板２および中継基板４を再使用することができるので無駄がなく、メンテナンス費用を削減できる。
【００３２】
アンテナ基板２と中継基板４を８個のピンヘッダ２２を介して接続し連結するので、接続ピン２２ａおよび半田部分に作用する外力を分散させて接続部分の強度を高めて耐久性を向上できる。従って、保守作業に際して中継基板４が制御基板３に対して繰返し着脱されるような場合でも、両者３・４を常に的確に接続して長期使用時の信頼性を向上できる。また、アンテナ基板２と中継基板４をピンヘッダ２２で一体化したのちに、アンテナ２１の特性に適合する静電容量の第２コンデンサ２５を選定して、中継基板４に半田付けするので、アンテナ２１の共振周波数およびインピーダンスを最適化できる。さらに、アンテナ基板２と中継基板４を一体化した後に、アンテナ２１の特性に適合した第２コンデンサ２５を実装するので、アンテナ基板２と中継基板４を組立るための一連の組立工数を削減し、組立を容易化してリーダライタの組立コストを減少できる。
【００３３】
上記の実施例では、ＲＦＩＤタグ１６の通信周波数が１３．５６ＭＨｚである場合について説明したが、予め制御基板３に周波数切換回路が実装してある場合には、通信周波数が異なる複数種のＲＦＩＤタグ１６に対して、リーダライタの構造を大幅に変更する必要もなく通信を行なえる。その場合には、通信周波数が異なる複数のＲＦＩＤタグ１６に対応した周波数調整回路２８を中継基板４に組込んで、各通信周波数ごとに専用の中継基板４を予め設けておく。例えば、１３．５６ＭＨｚ用の中継基板４と、１３５ｋＨｚ用の中継基板４とを設けておく。そのうえで、通信周波数が異なる複数種のＲＦＩＤタグ１６に適合する中継基板４をアンテナ基板２に接続して、アンテナ２１の特性をＲＦＩＤタグ１６の通信周波数に適合させる。例えば、ＲＦＩＤタグ１６の通信周波数が１３５ｋＨｚである場合には、１３５ｋＨｚ用の中継基板４をアンテナ基板２に接続してアンテナ２１の特性を１３５ｋＨｚ用に調整する。さらに、制御基板３の周波数切換回路を１３５ｋＨｚ側に切換える。
【００３４】
以上のように構成したリーダライタによれば、ＲＦＩＤタグ１６の通信周波数に適合した中継基板４をアンテナ基板２に接続することで、アンテナ基板２および制御基板３を共用できる。従って、通信周波数が異なるＲＦＩＤタグ１６に対応して、それぞれ専用のアンテナ基板２と制御基板３と中継基板４を設ける場合に比べて、より低コストでリーダライタを提供でき、アンテナ基板２および制御基板３の管理の手間を省くことができる。
【００３５】
上記の実施例では、チューブラック１０に４８個のマイクロチューブ１１が装填してある場合について説明したが、チューブラック１０の装填穴１２の形成個数は任意に設定でき、より大量のマイクロチューブ１１を装填できるチューブラック１０であってもよい。その場合には、アンテナ基板２におけるアンテナ２１の配置個数、および制御基板３における制御回路の配置個数を増加することにより、より大量のＲＦＩＤタグ１６に対応できる。
【００３６】
ＲＦＩＤタグ１６はマイクロチューブ１１以外の担持体に組込んであってもよい。例えば、コンテナに設けた格子状の区画に収納された工業製品を担持体にしてＲＦＩＤタグ１６を組込んでおくと、一群の工業製品に対して製造履歴情報や固有情報を一括して書込み、あるいは読込むことができる。
【符号の説明】
【００３７】
１  本体ケース
２  アンテナ基板
３  制御基板
４  中継基板
８  読書き部
１０  チューブラック
１１  担持体（マイクロチューブ）
１６  ＲＦＩＤタグ
２１  アンテナ
２２  ピンヘッダ
３０  コネクター
【図１】
2013109689.tif 000003
【図２】
2013109689.tif 000004
【図３】
2013109689.tif 000005
【図４】
2013109689.tif 000006
【図５】
2013109689.tif 000007
【図６】
2013109689.tif 000008